(57)【要約】      （修正有）【課題】  ユーザ識別機能を有し、ユーザごとにパラメータ、画像を記録することができ、所定のユーザによってのみ画像を再生および消去できるデジタルカメラを提供する。【解決手段】  デジタルカメラに、その使用が可能なユーザを登録する（ステップＳ１０３、Ｓ１０９）。ユーザは、ＬＣＤモニタ上のユーザ認識コード入力画面において、ユーザＩＤを入力（ステップＳ１０４）した後にデジタルカメラを使用する。ユーザによって選択されたパラメータは、ユーザを特定するユーザＩＤと関連づけて、ユーザごとに記録される（ステップＳ１１４）。このため、パラメータを設定したユーザ以外のユーザによって、パラメータが変更されることが防止される。また、撮影された画像も、ユーザＩＤに基づき撮影したユーザを示すユーザ情報と関連づけて記録される（ステップＳ１１１）ため、権限のない他のユーザによる再生、消去が防止される。【選択図】図７
2006197291.tif 000002
【特許請求の範囲】
【請求項１】
使用可能なユーザを登録ユーザとして登録するユーザ登録手段と、
使用を試みるユーザが、前記登録ユーザであるか否かを判断するユーザ判断手段とを備え、
前記ユーザ判断手段が、前記使用を試みるユーザが前記登録ユーザであると判断した場合にのみ使用可能となることを特徴とするデジタルカメラ。
【請求項２】
前記登録ユーザが選択したパラメータを記録するパラメータ記録手段をさらに有し、
前記パラメータ記録手段が、選択した前記登録ユーザを示す情報と前記パラメータとを関連づけて記録することを特徴とする請求項１に記載のデジタルカメラ。
【請求項３】
前記パラメータ記録手段が、前記デジタルカメラが起動している間に最後に選択されたパラメータを記録することを特徴とする請求項２に記載のデジタルカメラ。
【請求項４】
前記デジタルカメラを使用している前記登録ユーザにより選択された前記パラメータに基づいて、被写体を撮影することを特徴とする請求項２に記載のデジタルカメラ。
【請求項５】
前記デジタルカメラを使用している前記登録ユーザにより、前記デジタルカメラの前回の起動時に選択され、前記パラメータ記録手段により記録されている前記パラメータに基づいて、被写体を撮影することを特徴とする請求項４に記載のデジタルカメラ。
【請求項６】
前記ユーザ判断手段が、前記使用を試みるユーザにより入力された認識コードに基づいて、前記使用を試みるユーザが前記登録ユーザであるか否かを判断することを特徴とする請求項１に記載のデジタルカメラ。
【請求項７】
画像を記録する画像記録手段をさらに有し、
前記画像記録手段が、撮影した前記登録ユーザを示すユーザ情報と前記画像とを関連づけて記録することを特徴とする請求項１に記載のデジタルカメラ。
【請求項８】
前記画像を再生する画像再生手段をさらに有し、
前記ユーザ登録手段が、他のユーザにより撮影された画像を前記画像再生手段に再生させることのできる特定の登録ユーザと、自らが撮影した画像のみを前記画像再生手段に再生させることのできる前記特定の登録ユーザ以外の登録ユーザとを区別して登録することが可能であることを特徴とする請求項７に記載のデジタルカメラ。
【請求項９】
前記画像を消去する画像消去手段をさらに有し、
前記ユーザ登録手段が、他のユーザにより撮影された画像を前記画像消去手段に消去させることのできる特定の登録ユーザと、自らが撮影した画像のみを前記画像消去手段に消去させることのできる前記特定の登録ユーザ以外の登録ユーザとを区別して登録することが可能であることを特徴とする請求項７に記載のデジタルカメラ。
【請求項１０】
前記ユーザ情報が、前記使用を試みるユーザにより入力された認識コードに対応することを特徴とする請求項７に記載のデジタルカメラ。
【請求項１１】
前記画像を再生する画像再生手段をさらに有し、
前記画像再生手段が、前記ユーザ情報が示す前記画像を撮影した前記登録ユーザと、前記認識コードを入力した前記ユーザとが同一である場合にのみ、前記画像を再生することを特徴とする請求項１０に記載のデジタルカメラ。
【請求項１２】
前記画像を消去する画像消去手段をさらに有し、
前記画像消去手段が、前記ユーザ情報が示す前記画像を撮影した前記登録ユーザと、前記認識コードを入力した前記ユーザとが同一である場合にのみ、前記画像を消去することを特徴とする請求項１０に記載のデジタルカメラ。
【請求項１３】
前記画像を再生する画像再生手段と、
前記画像再生手段が、前記ユーザ情報が示す前記画像を撮影した前記登録ユーザと、前記認識コードを入力した前記ユーザとが同一である場合にのみ、前記画像を再生する第１の再生モードと、前記画像再生手段が、特定の登録ユーザの操作によって、前記特定の登録ユーザ以外の登録ユーザにより撮影された前記画像を再生可能な第２の再生モードとを切換えるモード切換え手段と
をさらに有することを特徴とする請求項１０に記載のデジタルカメラ。
【請求項１４】
前記画像を消去する画像消去手段と、
前記画像消去手段が、前記ユーザ情報が示す前記画像を撮影した前記登録ユーザと、前記認識コードを入力した前記ユーザとが同一である場合にのみ、前記画像を消去する第１の消去モードと、前記画像消去手段が、特定の登録ユーザの操作によって、前記特定の登録ユーザ以外の登録ユーザにより撮影された前記画像を消去可能な第２の消去モードとを切換えるモード切換え手段と
をさらに有することを特徴とする請求項１０に記載のデジタルカメラ。
【発明の詳細な説明】
【技術分野】
【０００１】
本発明は、ユーザを認識する機能を備えたデジタルカメラに関する。
【背景技術】
【０００２】
撮影のための様々な機能を調整するために、一般に、カメラにおいては、ユーザがパラメータ、撮影モードを設定することと、設定されたパラメータ等を記録しておくことが可能である（例えば特許文献１）。また、デジタルカメラにおいては、撮影された画像をモニタにより再生することができる。                                                
【特許文献１】特開平７−３１１４０３号公報（段落［００３５］〜［００４０］参照）
【発明の開示】
【発明が解決しようとする課題】
【０００３】
デジタルカメラを複数のユーザで使用する場合、あるユーザによって設定されていたパラメータ、撮影モードが別のユーザによって変更され、変更後のパラメータ等が上書き保存されてしまうことがある。また、秘密保持が必要な画像データが、記憶媒体に移されずにデジタルカメラ本体に記録されていた場合、撮影者以外の者により画像が再生および消去されてしまう。
【０００４】
本発明は、ユーザ識別機能を有し、ユーザごとにパラメータ、画像を記録することができ、所定のユーザによってのみ画像を再生および消去できるデジタルカメラを提供することを目的とする。
【課題を解決するための手段】
【０００５】
本発明のデジタルカメラは、使用可能なユーザを登録ユーザとして登録するユーザ登録手段と、使用を試みるユーザが、登録ユーザであるか否かを判断するユーザ判断手段とを備え、ユーザ判断手段が、使用を試みるユーザが登録ユーザであると判断した場合にのみ使用可能となること特徴とする。
【０００６】
デジタルカメラは、登録ユーザが選択したパラメータを記録するパラメータ記録手段をさらに有し、パラメータ記録手段が、選択した登録ユーザを示す情報とパラメータとを関連づけて記録することが好ましい。
【０００７】
パラメータ記録手段は、デジタルカメラが起動している間に最後に選択されたパラメータを記録することが好ましい。また、デジタルカメラは、使用している登録ユーザにより選択されたパラメータに基づいて、被写体を撮影することが望ましい。この場合、デジタルカメラを使用している登録ユーザにより、デジタルカメラの前回の起動時に選択されてパラメータ記録手段により記録されているパラメータに基づいて、被写体を撮影することがより望ましい。
【０００８】
ユーザ判断手段は、例えば、使用を試みるユーザにより入力された認識コードに基づいて、使用を試みるユーザが登録ユーザであるか否かを判断する。
【０００９】
デジタルカメラは、画像を記録する画像記録手段をさらに有し、画像記録手段が、撮影した登録ユーザを示すユーザ情報と画像とを関連づけて記録することが好ましい。そして、デジタルカメラは、画像を再生する画像再生手段をさらに有し、ユーザ登録手段が、他のユーザにより撮影された画像を画像再生手段に再生させることのできる特定の登録ユーザと、自らが撮影した画像のみを画像再生手段に再生させることのできる特定の登録ユーザ以外の登録ユーザとを区別して登録することが可能であることが好ましい。
【００１０】
また、デジタルカメラは、画像を消去する画像消去手段をさらに有し、ユーザ登録手段が、他のユーザにより撮影された画像を画像消去手段に消去させることのできる特定の登録ユーザと、自らが撮影した画像のみを画像消去手段に消去させることのできる特定の登録ユーザ以外の登録ユーザとを区別して登録することが可能であることが好ましい。
【００１１】
ユーザ情報は、使用を試みるユーザにより入力された認識コードに対応することが望ましい。この場合、デジタルカメラは、画像を再生する画像再生手段、もしくは画像を消去する画像消去手段をさらに有し、画像再生手段が、ユーザ情報が示す画像を撮影した登録ユーザと、認識コードを入力したユーザとが同一である場合にのみ、画像を再生し、画像消去手段は、ユーザ情報が示す画像を撮影した登録ユーザと、認識コードを入力したユーザとが同一である場合にのみ、画像を消去することが好ましい。
【００１２】
デジタルカメラは、画像を再生する画像再生手段と、画像再生手段が、ユーザ情報が示す画像を撮影した登録ユーザと、認識コードを入力したユーザとが同一である場合にのみ、画像を再生する第１の再生モードと、画像再生手段が、特定の登録ユーザの操作によって、特定の登録ユーザ以外の登録ユーザにより撮影された画像を再生可能な第２の再生モードとを切換えるモード切換え手段とをさらに有することが望ましい。
【００１３】
デジタルカメラは、画像を消去する画像消去手段と、画像消去手段が、ユーザ情報が示す画像を撮影した登録ユーザと、認識コードを入力したユーザとが同一である場合にのみ、画像を消去する第１の消去モードと、画像消去手段が、特定の登録ユーザの操作によって、特定の登録ユーザ以外の登録ユーザにより撮影された画像を消去可能な第２の消去モードとを切換えるモード切換え手段とをさらに有することが望ましい。
【発明の効果】
【００１４】
本発明によれば、ユーザ識別機能を有し、ユーザごとにパラメータ、画像を記録することができ、所定のユーザによってのみ画像を再生および消去できるデジタルカメラが実現できる。
【発明を実施するための最良の形態】
【００１５】
以下、本発明の実施形態を、図面を参照して説明する。図１は、本実施形態におけるデジタルカメラの正面図であり、図２は、デジタルカメラの背面図である。
【００１６】
デジタルカメラ１０の上面１０Ｕには、レリーズボタン１２およびモードダイヤル１４が設けられ、デジタルカメラ１０の前面１０Ｆには、ズームレンズを内蔵した撮影光学系１６、照明装置２０が設けられている。また、デジタルカメラ１０の背面１０Ｂには、被写体像を表示するＬＣＤモニタ２２と、所定の操作を実行するためのメニューボタン１１、フォーカス設定ボタン１３、ストロボ設定ボタン１５、画像消去ボタン１７、十字キー２１、ＯＫボタン２３、ズームレバー２５等が設けられている（図２参照）。
【００１７】
図３は、ＬＣＤモニタ２２上に表示されたユーザ認識コード入力画面を示す図である。
【００１８】
デジタルカメラ１０が初めて使用される場合、ユーザによって初期設定が行なわれる。この初期設定のため、ＬＣＤモニタ２２上には自動的に所定の画面が表示される。初期設定のための画面のうち、ユーザを登録するための画面を図３に示す。初めてデジタルカメラ１０を使用するユーザは、十字キー２１、ＯＫボタン２３等を使用して、この画面にユーザＩＤ（認識コード）とパスワードを入力することにより、所有者ユーザとして登録される。
【００１９】
デジタルカメラ１０に登録された所有者ユーザは、デジタルカメラ１０の使用を許可するために、他のユーザを通常ユーザとして新たに登録することができる。この場合、メニューボタン１１の押下によりメニュー画面がＬＣＤモニタ２２に表示され、さらにユーザ登録の画面が選択されることにより、図３に示すユーザ認識コード入力画面が表示される。そして、新たに使用を許可されたユーザによりユーザＩＤとパスワードが入力され、このユーザは通常ユーザとして登録される。このように、デジタルカメラ１０の使用が可能なユーザは、所定の権限のある所有者ユーザと、所有者ユーザに使用を認められた通常ユーザとに区別して登録される。以下、所有者ユーザと通常ユーザとをまとめて登録ユーザと呼ぶ。
【００２０】
また、初めて使用される場合を除く通常のデジタルカメラ１０の起動時においても、ユーザを認識するために、ユーザ認識コード入力画面が自動的に表示される。そして、使用を試みるユーザが入力したユーザＩＤとパスワードとが、予め登録されていた登録ユーザのものであり、さらにパスワードが登録されていたものと一致する場合にのみ、デジタルカメラ１０は使用可能な状態となる。
【００２１】
図４は、デジタルカメラ１０のブロック図である。
【００２２】
デジタルカメラ１０には、全体を制御する制御回路であるマイコン１９、画像データ等を記録するための内蔵されたフラッシュメモリ４２、マイコン１９の信号処理のためのデータが記憶されているＥＥＰＲＯＭ４４等が設けられている。マイコン１９には、メインスイッチＳＷＭ、モードダイヤル１４等が接続されている。メインスイッチＳＷＭは、デジタルカメラ１０の電源スイッチであり、ユーザにより操作されるとオン状態になり、マイコン１９が作動を開始する。
【００２３】
マイコン１９は、ＬＣＤモニタ２２に所定の指示信号を送信して、ユーザ認識コード入力画面を表示させる。そして、十字キー２１、ＯＫボタン２３等を使用してユーザＩＤとパスワードが入力されると、入力に応じた信号がマイコン１９に送信される。マイコン１９においては、送信された信号の示すユーザＩＤとパスワードとの組合せが、予めフラッシュメモリ４２に記録されている登録ユーザのものと一致するか否かが判断され、一致していた場合にのみデジタルカメラ１０は使用可能になる。マイコン１９により、ユーザＩＤとパスワードとの組合せが予めフラッシュメモリ４２に記録されているものと一致しないと判断されると、正しいユーザＩＤとパスワードとが入力されない限り、電源オフ、ユーザＩＤとパスワードとの入力以外の全ての操作がマイコン１９によって無効とされる。この場合、マイコン１９からの指示信号により、ユーザに使用不能であることを知らせる警告メッセージがＬＣＤモニタ２２に表示される。
【００２４】
被写体の撮影、画像の再生等の切換えは、モードダイヤル１４を所定の回転位置に定めることにより生じる信号が、マイコン１９へ送られることにより行われる。マイコン１９には、メニューボタン１１、フォーカス設定ボタン１３、ストロボ設定ボタン１５、画像消去ボタン１７、十字キー２１、ＯＫボタン２３、そしてズームレバー２５の押下によってオンになる望遠、広角撮影のための望遠スイッチＳＷＴと広角スイッチＳＷＷとがそれぞれ接続されており、ユーザの操作に応じた所定の信号がマイコン１９に送信される。これらのボタンの操作、もしくはメニュー画面における指示により、ユーザは、撮影のために用いられる様々なパラメータを選択することができる。例えば、記録サイズ（画像の解像度）、画質、ホワイトバランス、ＡＦエリア、測光方式、照明装置２０の発光等について、選択可能であるパラメータの中から所望のものが選択され、被写体の撮影に使用される。なお、パラメータの選択とは、数値の設定のみならず、予め設定されている複数のモードの中から所望のものを選択することを含む。
【００２５】
レリーズボタン１２が半押しされると、測光スイッチＳＷＳがオン状態となる。被写体の撮影を行う場合に測光スイッチＳＷＳがオン状態となると、測距処理部（図示せず）による測距動作、測光処理部（図示せず）による被写体の測光が行われる。このとき、例えば、フォーカス設定ボタン１３の操作により、ＡＦエリアとして中央付近のみをＡＦの対象とするスポットモードが選択されていた場合、測距は中央部分についてのみ実施され、測光方式として中央部重点測光モードが選択されていた場合、撮影領域の中央部分に設けられた測光範囲に重み付けを加えた測光が実施される。こうして得られた測距データ及び輝度データは、マイコン１９に送信される。マイコン１９は、測距データに基づき、撮影レンズ３０の位置を調整して合焦させるようにＡＦ・絞り駆動機構３４を制御する。
【００２６】
レリーズスイッチＳＷＲは、レリーズボタン１２を全押しすることによりオン状態になる。レリーズスイッチＳＷＲがオン状態になると、マイコン１９からの制御信号に基づいて、ＡＦ・絞り駆動機構３４が絞り３１を所定量だけ開き、シャッタ（図示せず）が所定の開度まで所定時間だけ開放される。なお、予め絞り値、シャッタ速度がユーザにより選択、設定されていた場合には、設定された各パラメータに応じて、絞り３１およびシャッタが作動する。そして、ＣＣＤ駆動回路３６により制御されたＣＣＤ３８が露光され、ＣＣＤ３８には被写体像を示す画像信号が発生する。マイコン１９は、測距データ及び輝度データに基づいて被写体を照明する必要があると判断すると、照明のための制御信号をフラッシュ回路（図示せず）へ出力し、照明装置２０が照明光を出射する。ただし、照明装置２０の発光について、ボタン操作により強制発光モードが選択されていた場合、照明光は、測距データ及び輝度データに関わらず出射され、発光禁止モードが選択されていた場合には、照明光は常に出射されない。
【００２７】
ＣＣＤ３８において発生した画像信号は、ＣＤＳ回路３９においてノイズが低減され、Ａ／Ｄ変換器４０によりアナログからデジタルに変換される。さらに、デジタル化された画像信号は、ホワイトバランス調整などの様々な信号処理が施された後にマイコン１９へ送られる。このとき、ホワイトバランスは、オートモード等のユーザにより選択された所定のモードに応じて調整される。画像信号は、さらに、マイコン１９からＬＣＤドライバ（図示せず）に送られ、この画像信号に基づいてＬＣＤモニタ２２が駆動され、被写体像がＬＣＤモニタ２２に表示される。
【００２８】
撮影された被写体像の画像データは、ＤＲＡＭ４５に一時的に記録された後に、例えば「１６００×１２００」画素など、予め選択されていた記録サイズでフラッシュメモリ４２に記録される。さらに、ここでは、メモリカード４６がデジタルカメラ１０の本体に挿入されているため、画像データは、インターフェイス４３を介してメモリカード４６に送信され、メモリカード４６にも記録される。メモリカード４６に記録された画像データは、モードダイヤル１４の操作によって再生モードが選択され、十字キー２１の操作によって画像送りされることにより、ＬＣＤモニタ２２上で再生表示される。さらに、画像消去ボタン１７の押下によって、マイコン１９の制御による画像データの消去が可能である。
【００２９】
図５は、フラッシュメモリ４２において登録ユーザごとに記録されるパラメータを概略的に示す図である。図６は、メモリカード４６において登録ユーザごとに記録される画像データを概略的に示す図である。
【００３０】
ユーザによる使用が終了し、デジタルカメラ１０の電源がオフになるときには、その直前に選択されていたパラメータ、すなわちデジタルカメラ１０の起動中に最後に選択されていたパラメータが、使用していた登録ユーザのユーザＩＤと関連づけられてフラッシュメモリ４２に記録される。そして、デジタルカメラ１０の起動時には、デジタルカメラ１０を使用する登録ユーザによって入力されたユーザＩＤに基づいて、その登録ユーザにより前回の使用時に記録されていたパラメータが、自動的にマイコン１９によって読み出され、被写体の撮影に使用される。例えば、使用中の登録ユーザが、ユーザ１であった場合、ホワイトバランスモードは「オート」、記録サイズは「１６００×１２００」画素に設定される。
【００３１】
パラメータがそれまでに選択されていなかった場合や、登録ユーザが初めてデジタルカメラ１０を使用する場合においては、ＥＥＰＲＯＭ４４に記録されている各パラメータの初期設定データが自動的に選択され、使用される。例えば、画質においては「ノーマル」、ホワイトバランスモードにおいては「太陽光モード」が初期設定データである（図５の下線部参照）。
【００３２】
画像データは、メモリカード４６においては、ユーザＩＤに基づいて撮影者がいずれのユーザであるかを示すユーザ情報等を含むタグ情報と関連付けられて、記録されている（図６参照）。すなわち、メモリカード４６においては、画像データは、ユーザＩＤ、そのユーザが再生、消去可能な画像の範囲等のユーザ情報を含むタグ情報と対応するように記録されている。また、フラッシュメモリ４２においては、画像データとその画像について選択、設定されていたパラメータ（図５参照）とが対応するように記録されている。このため、その画像を撮影した登録ユーザが所有者ユーザであるか通常ユーザであるかの情報も、フラッシュメモリ４２に記録されている。
【００３３】
使用中のユーザが通常ユーザである場合、原則としてその通常ユーザが撮影した画像データのみがメモリカード４６から読み出されてＬＣＤモニタ２２上に表示されることが可能である。ただし、撮影したユーザによって、撮影者以外の登録ユーザによる画像再生を許可する設定が予めなされていた場合には、その通常ユーザ以外の登録ユーザが撮影した画像データもＬＣＤモニタ２２に表示される。このように、撮影した登録ユーザ以外のユーザによる再生を許可するモードは、ＬＣＤモニタ２２に表示されるメニュー画面におけるボタン操作により可能である。また、デジタルカメラ１０とは異なるカメラにて撮影された画像がメモリカード４６に記録されていた場合であって、ユーザ情報が含まれていない画像データも再生可能な場合がある。そして、使用中のユーザが所有者ユーザである場合には、メモリカード４６に記録されている全ての画像データがＬＣＤモニタ２２上に表示可能であるように、マイコン１９により制御される。
【００３４】
画像の再生と同様に、マイコン１９の制御により、通常ユーザは原則としてその通常ユーザ自身が撮影した画像データのみを消去可能であり、所有者ユーザは、メモリカード４６に記録されている全ての画像データを消去することが可能である。そして、撮影に先立って、メニュー画面でのボタン操作により撮影した登録ユーザ以外のユーザによる消去を許可するモードが選択されていた場合には、撮影者以外の登録ユーザによっても画像の消去が可能である。なお、消去の指示がなされた画像が消去されない場合、マイコン１９からの指示信号により、使用中の登録ユーザにこのことを知らせる警告メッセージがＬＣＤモニタ２２に表示される。
【００３５】
図７は、ユーザごとにパラメータを設定、記録するパラメータ設定・記録ルーチンを示すフローチャートである。
【００３６】
パラメータ設定・記録ルーチンは、ユーザがメインスイッチＳＷＭをオンにすると開始する。ステップＳ１０１では、デジタルカメラ１０の電源がオンになりステップＳ１０２に進む。ステップＳ１０２では、誰もユーザ登録されていない状態であって、初期設定が必要であるか否かが判断される。そして、初期設定が必要である場合、ステップＳ１０３に進み、初期設定が不要である場合にはステップＳ１０４に進む。ステップＳ１０３では、ユーザＩＤとパスワードとの入力により所有者ユーザが登録され、ステップＳ１０６に進む。
【００３７】
ステップＳ１０４においては、ＬＣＤモニタ２２に表示されたユーザ認識コード入力画面において、ユーザＩＤとパスワードとが入力され、ステップＳ１０５に進む。ステップＳ１０５では、使用を試みるユーザが登録されているか否か、すなわち入力されたユーザＩＤとパスワードとの組合せがフラッシュメモリ４２に予め記録されたものと一致するか否かが、マイコン１９により判断される。そして、使用を試みるユーザが登録されていると判断されると、ステップＳ１０６に進む。
【００３８】
ステップＳ１０６では、デジタルカメラ１０が起動し、使用中のユーザによって設定され、フラッシュメモリ４２に記録されていたパラメータが読み出され、パラメータ設定がなされる。なお、初めて所有者ユーザがデジタルカメラ１０を使用している場合等においては、各パラメータの初期値が設定される。そして、ステップＳ１０７において、使用中のユーザが所有者ユーザであるか否かが判断される。ステップＳ１０７にて、使用中のユーザが所有者ユーザであると判断されると、ステップＳ１０８において、デジタルカメラ１０の使用を許可する新たな通常ユーザが、登録されるか否かが判断される。通常ユーザが登録されると判断されると、ステップＳ１０９において、所有者ユーザの操作により通常ユーザが登録され、ステップＳ１１０に進む。
【００３９】
ステップＳ１１０では、モードダイヤル１４の操作によって撮影モードが設定されているか否かが判断される。撮影モードが選択されていると判断された場合、ステップＳ１１１に進み、撮影モードが選択されていないと判断された場合にはステップＳ１１２に進む。ステップＳ１１１では、撮影した画像の記録などの撮影処理が施され、ステップＳ１１２に進む。ステップＳ１１２では、画像を再生、消去する画像処理ルーチン（図８参照）が実施され、ステップＳ１１３に進む。ステップＳ１１３では、デジタルカメラ１０の電源をオフにする指示がなされたか否かが判断され、電源オフの指示がされていないと判断された場合にはステップＳ１１０に戻り、電源オフの指示がされたと判断された場合、ステップＳ１１４に進む。ステップＳ１１４において、デジタルカメラ１０の電源がオフになる直前にユーザによって選択されていたパラメータが、ユーザＩＤと関連づけてフラッシュメモリ４２に記録され、パラメータ設定・記録ルーチンは終了する。
【００４０】
図８は、画像を再生、消去する画像処理ルーチンを示すフローチャートである。
【００４１】
画像処理ルーチンは、パラメータ設定・記録ルーチンにおいて被写体が撮影されると開始する。ステップＳ２０１では、モードダイヤル１４等の操作によってユーザにより画像の再生が指示され、ステップＳ２０２に進む。ステップＳ２０２では、使用中のユーザによって再生可能な画像があるか否かが判断される。ここで、デジタルカメラ１０を使用しているユーザが、記録されている全ての画像の再生が可能な所有者ユーザであるか、通常ユーザであって自らが撮影した画像が記録されているか、もしくは撮影者以外の登録ユーザによる再生が許可された画像が記録されている場合には、再生可能な画像があると判断される。このように、再生可能な画像があると判断された場合、ステップＳ２０３に進み、再生可能な画像がないと判断されると、ステップＳ２０４に進む。ステップＳ２０３では、再生可能と判断された画像がユーザのボタン操作に応じて再生され、ステップＳ２０５に進む。一方、ステップＳ２０４では、画像を再生できない旨を伝える警告メッセージがＬＣＤモニタ２２上に表示され、ステップＳ２０９に進む。
【００４２】
ステップＳ２０５では、再生された画像を消去する指示がなされたか否かが判断される。ユーザによって、画像を消去する指示がなされたと判断されると、ステップＳ２０６に進み、画像を消去する指示がなされなかったと判断されると、ステップＳ２０３に戻る。ステップＳ２０６では、画像消去を指示したユーザが、指示した画像を消去可能なユーザであるか否かが判断される。画像消去を指示したユーザが、その画像を消去可能なユーザであった場合、ステップＳ２０７に進み、画像を消去できないユーザであった場合にはステップＳ２０８に進む。ステップＳ２０７では、指示された画像が消去されてステップＳ２０９に進む。また、ステップＳ２０８では、画像が消去されずにステップＳ２０９に進む。ステップＳ２０９では、再生モードから、撮影モード等の他のモードに変更する指示があるか否かが判断される。そして他のモードへの変更指示がないと判断されると、ステップＳ２０１に戻り、他のモードへの変更指示があると判断されると、画像処理ルーチンは終了する。
【００４３】
以上のように本実施形態によれば、使用中のユーザを認識し、ユーザごとにパラメータ、画像を記録するとともに、ユーザに予め認められている権限に応じた画像の再生、消去を可能にするデジタルカメラ１０が実現される。このため、設定されていたパラメータが他のユーザによって誤って変更されてしまうことや、秘密保持が必要な画像等が誤って再生、消去されることが防止される。
【００４４】
パラメータ、およびモードは、撮影のためのものに限定されず、画像再生等のためのパラメータを設定しても良い。
【００４５】
画像の再生、消去については、所有者ユーザと通常ユーザとの区別なしに、ユーザ情報に基づいて、画像を撮影したユーザのみがその画像データの再生、消去が可能であるように設定しても良い。また、所有者ユーザと通常ユーザとを区別しない第１の再生、消去モードと、所有者ユーザと通常ユーザとを区別する第２の再生、消去モードとを切換え可能に設定しても良い。この場合、所有者ユーザは、メニューボタン１１の操作によりＬＣＤモニタ２２上に表示されるメニューの選択により、所有者ユーザと通常ユーザとを区別せずに、ユーザ情報が示す画像を撮影したユーザと、ユーザＩＤを入力した使用中のユーザとが同一である場合にのみ、その画像を再生、消去可能にする第１の再生、消去モードと、所有者ユーザのみは、通常ユーザにより撮影された全ての画像を再生、消去可能にする第２の再生、消去モードとを切換える。
【００４６】
使用を試みるユーザの識別方法は、ユーザ認識コードの入力に限定されず、例えば電源スイッチがユーザの指紋を検知しても良い。
【００４７】
デジタルカメラ１０を短期間の使用目的で貸し出す場合等のために、通常ユーザがパスワードの入力無しに使用可能となるように、所有者ユーザが設定可能であっても良い。
【図面の簡単な説明】
【００４８】
【図１】本実施形態におけるデジタルカメラの正面図である。
【図２】デジタルカメラの背面図である。
【図３】ＬＣＤモニタに表示されたユーザ認識コード入力画面を示す図である。
【図４】デジタルカメラのブロック図である。
【図５】登録ユーザごとに記録されるパラメータを概略的に示す図である。
【図６】登録ユーザごとに記録される画像データを概略的に示す図である。
【図７】パラメータ設定・記録ルーチンを示すフローチャートである。
【図８】画像処理ルーチンを示すフローチャートである。
【符号の説明】
【００４９】
１０  デジタルカメラ
１１  メニューボタン（パラメータ設定手段）
１３  フォーカス設定ボタン（パラメータ設定手段）
１５  ストロボ設定ボタン（パラメータ設定手段）
１７  画像消去ボタン（画像消去手段）
１９  マイコン（ユーザ判断手段）
２１  十字キー（パラメータ設定手段）
２２  ＬＣＤモニタ（画像再生手段・ユーザ登録手段・ユーザ判断手段）
２３  ＯＫボタン（パラメータ設定手段）
４２  フラッシュメモリ（ユーザ登録手段・パラメータ記録手段・画像記録手段）
４６  メモリカード（画像記録手段）
【図１】
2006197291.tif 000003
【図２】
2006197291.tif 000004
【図３】
2006197291.tif 000005
【図４】
2006197291.tif 000006
【図５】
2006197291.tif 000007
【図６】
2006197291.tif 000008
【図７】
2006197291.tif 000009
【図８】
2006197291.tif 000010